(57)【要約】【課題】楽曲配信サービスにおいて、楽曲ダウンロードの権利を贈与できる新たな形態のサービスを提供可能なシステムを構築する。【解決手段】楽曲配信システムであって、楽曲データを複数格納した格納手段と、カードの識別子と認証情報とを格納した格納手段と、カードの識別子群と、選択した楽曲データを特定する楽曲設定情報とをサービス購入者毎に関連づけて格納する格納手段と、アクセスを受け付けると、カードの認証情報を用いて認証を行ない、認証されたカードの識別子に関連づけられたサービス購入者に係る楽曲設定情報によって特定される楽曲データを選択可能な状態で提示し、楽曲データの選択を受け付けると、選択された楽曲データをアクセス元に配信する一方、楽曲データの選択と楽曲配信先情報とを受け付けると、選択された楽曲データを楽曲配信先情報に基づく配信先に配信する制御手段とを備える。【選択図】図１
2008292863.tif 000002
【特許請求の範囲】
【請求項１】
通信ネットワークを介して通信端末に楽曲を配信する楽曲配信システムであって、
配信用の楽曲データを複数格納した楽曲格納手段と、
サービス享受者に配布されるカードの識別子と認証情報とを格納したカード情報格納手段と、
サービス購入者に割り当てられたカードの識別子群と、サービス購入者が選択した楽曲データを特定する楽曲設定情報とをサービス購入者毎に関連づけて格納する購入者情報格納手段と、
Ｗｅｂページを介した楽曲配信を制御する制御手段とを備え、
前記制御手段は、
サービス享受者からのアクセスを受け付けると、前記カードの識別子と認証情報とを用いて認証を行ない、
認証されたカードの識別子に関連づけられたサービス購入者に係る楽曲設定情報によって特定される楽曲データを選択可能な状態で提示し、
楽曲データの選択を受け付けた場合には、選択された楽曲データをアクセス元に配信する一方、前記楽曲データの選択と楽曲配信先情報とを受け付けた場合には、前記選択された楽曲データを前記楽曲配信先情報に基づく配信先に配信するようにしたことを特徴とする楽曲配信システム。
【請求項２】
請求項１に記載の楽曲配信システムであって、
前記購入者情報格納手段は、さらに、購入者から受け付けた所定のメッセージ情報をサービス購入者に関連づけて格納し、
前記制御手段は、サービス享受者の要求に応じて、認証されたカードの識別子に関連づけられたサービス購入者に係る前記所定のメッセージ情報を配信することを特徴とする楽曲配信システム。
【請求項３】
請求項２に記載の楽曲配信システムであって、
前記購入者情報格納手段は、前記所定のメッセージ情報を通信事業者に対応した形式にエンコードして格納し、
前記制御手段は、サービス享受者からのアクセスを受け付けると、アクセスに用いた通信端末の通信事業者を判別し、判別された通信事業者に対応した形式にエンコードされた所定のメッセージ情報を配信することを特徴とする楽曲配信システム。
【請求項４】
請求項１〜３のいずれか一項に記載の楽曲配信システムであって、
配信可能な回数と、配信履歴とをカード識別子毎に関連づけて格納する配信管理情報格納手段をさらに備え、
前記制御手段は、認証されたカードの識別子に関連づけられた配信履歴の回数が配信可能な回数に達するまで前記楽曲データを選択可能な状態で提示することを特徴とする楽曲配信システム。
【請求項５】
請求項１〜３のいずれか一項に記載の楽曲配信システムであって、
有効期限をカード識別子毎に関連づけて格納する配信管理情報格納手段をさらに備え、
前記制御手段は、認証されたカードの識別子に関連づけられた有効期限内に前記アクセスを受けた場合に、前記楽曲データを選択可能な状態で提示することを特徴とする楽曲配信システム。
【請求項６】
配信用の楽曲データを複数格納した楽曲格納手段と、サービス享受者に配布されるカードの識別子と認証情報とを格納したカード情報格納手段と、サービス購入者に割り当てられたカードの識別子群と、サービス購入者が選択した楽曲データを特定する楽曲設定情報とをサービス購入者毎に関連づけて格納する購入者情報格納手段と、Ｗｅｂページを介した楽曲配信を制御する制御手段とを備えたサーバを用いて通信ネットワークを介して通信端末に楽曲を配信する楽曲配信サービス方法であって、
サービス享受者からのアクセスを受け付けると、前記カードの識別子と認証情報とを用いて認証を行なうステップと、
認証されたカードの識別子に関連づけられたサービス購入者に係る楽曲設定情報によって特定される楽曲データを選択可能な状態で提示するステップと、
楽曲データの選択を受け付けた場合には、選択された楽曲データをアクセス元に配信する一方、前記楽曲データの選択と楽曲配信先情報とを受け付けた場合には、前記選択された楽曲データを前記楽曲配信先情報に基づく配信先に配信するステップとを有することを特徴とする楽曲配信サービス方法。
【発明の詳細な説明】
【技術分野】
【０００１】
本発明は、楽曲配信システム、楽曲配信サービス方法に係り、特に楽曲配信サービス享受の権利を取得した権利者が、その権利を他人に贈与することが可能な楽曲配信システム、楽曲配信サービス方法に関する。
【背景技術】
【０００２】
音楽配信用サーバから端末機へ楽曲をダウンロードするサービスシステムが知られている。例えば、特許文献１には、ダウンロードする曲に対応するＩＤが表示されたカードを販売し、購入者がサーバにそのＩＤを送信すると、ＩＤに対応した曲のダウンロードサービスを受けることができるシステムが記載されている。
【特許文献１】特開２００３−１５６６０号公報
【発明の開示】
【発明が解決しようとする課題】
【０００３】
近年、携帯電話の着信楽曲ダウンロードに代表されるように楽曲配信サービスが盛んに行なわれるようになっており、利用者にとって魅力的なサービス提供が可能なシステムの開発が望まれている。
【０００４】
利用者にとって魅力的なサービス提供の一形態として、楽曲ダウンロード用のカードを他人にプレゼントすることが考えられるが、特許文献１に記載されたシステムは、希望する曲に対応したカードを購入し、購入した本人がその曲をダウンロードすることが前提となっている。このため、仮にそのカードをプレゼントとして他人に贈った場合、贈られた者は特定の曲しかダウンロードすることができず自由度が低いことになる。
【０００５】
本発明は、上記事情に鑑み、楽曲配信サービスにおいて、楽曲ダウンロードの権利を贈与できるようにすることで、自由度の高い新たな形態のサービスを提供可能な楽曲配信システム、楽曲配信サービス方法を提供構築することを目的とする。さらに、楽曲ダウンロードの権利の贈与に基づき、ダウンロードされる楽曲以外の情報を配信することを可能にすることにより、より自由度の高い新たな形態のサービスを提供できる、楽曲配信システム、楽曲配信サービス方法を提供することを目的とする。
【課題を解決するための手段】
【０００６】
上記課題を解決するため、本発明に係る楽曲配信システムは、
通信ネットワークを介して通信端末に楽曲を配信する楽曲配信システムであって、
配信用の楽曲データを複数格納した楽曲格納手段と、サービス享受者に配布されるカードの識別子と認証情報とを格納したカード情報格納手段と、サービス購入者に割り当てられたカードの識別子群と、サービス購入者が選択した楽曲データを特定する楽曲設定情報とをサービス購入者毎に関連づけて格納する購入者情報格納手段と、Ｗｅｂページを介した楽曲配信を制御する制御手段とを備え、
前記制御手段は、サービス享受者からのアクセスを受け付けると、前記カードの識別子と認証情報とを用いて認証を行ない、認証されたカードの識別子に関連づけられたサービス購入者に係る楽曲設定情報によって特定される楽曲データを選択可能な状態で提示し、楽曲データの選択を受け付けた場合には、選択された楽曲データをアクセス元に配信する一方、楽曲データの選択と楽曲配信先情報とを受け付けた場合には、選択された楽曲データを楽曲配信先情報に基づく配信先に配信するようにしたことを特徴とする。
【０００７】
サービス享受者は、サービス購入者が選択した楽曲データの中から希望する楽曲の配信を受けることができる。これにより、サービス享受の権利をカードの贈与で行なうという新たな形態のサービスが提供される。
【０００８】
前記購入者情報格納手段は、さらに、購入者から受け付けた所定のメッセージ情報、例えばムービーデータ、静止画データ、音声データ、テキストデータ等をサービス購入者に関連づけて格納し、前記制御手段は、サービス享受者の要求に応じて、認証されたカードの識別子に関連づけられたサービス購入者に係る前記所定のメッセージ情報を配信することができる。
【０００９】
これにより、サービス享受者は、贈与された楽曲ダウンロードの権利に基づく楽曲のダウンロード以外にも、購入者からのメッセージ情報をも受け取ることができるため、より自由度の高い楽曲配信サービスが提供できる。
【００１０】
このとき、前記購入者情報格納手段は、前記所定のメッセージ情報を通信事業者に対応した形式にエンコードして格納し、前記制御手段は、サービス享受者からのアクセスを受け付けると、アクセスに用いた通信端末の通信事業者を判別し、判別された通信事業者に対応した形式にエンコードされた所定のメッセージ情報を配信することが望ましい。
【００１１】
また、配信可能な回数と、配信履歴とをカード識別子毎に関連づけて格納する配信管理情報格納手段をさらに備え、前記制御手段は、認証されたカードの識別子に関連づけられた配信履歴の回数が配信可能な回数に達するまで前記楽曲データを選択可能な状態で提示することができる。
【００１２】
すなわち、サービス享受者は、配信回数分のダウンロードを実行することができるとともに、配信可能回数が残っているカードを他人に再配布することもできる。
【００１３】
また、有効期限をカード識別子毎に関連づけて格納する配信管理情報格納手段をさらに備え、前記制御手段は、認証されたカードの識別子に関連づけられた有効期限内に前記アクセスを受けた場合に、前記楽曲データを選択可能な状態で提示することができる。
【００１４】
上記課題を解決するため、本発明に係る楽曲配信サービス方法は、配信用の楽曲データを複数格納した楽曲格納手段と、サービス享受者に配布されるカードの識別子と認証情報とを格納したカード情報格納手段と、サービス購入者に割り当てられたカードの識別子群と、サービス購入者が選択した楽曲データを特定する楽曲設定情報とをサービス購入者毎に関連づけて格納する購入者情報格納手段と、Ｗｅｂページを介した楽曲配信を制御する制御手段とを備えたサーバを用いて通信ネットワークを介して通信端末に楽曲を配信する楽曲配信サービス方法であって、
サービス享受者からのアクセスを受け付けると、前記カードの識別子と認証情報とを用いて認証を行なうステップと、認証されたカードの識別子に関連づけられたサービス購入者に係る楽曲設定情報によって特定される楽曲データを選択可能な状態で提示するステップと、楽曲データの選択を受け付けた場合には、選択された楽曲データをアクセス元に配信する一方、前記楽曲データの選択と楽曲配信先情報とを受け付けた場合には、前記選択された楽曲データを前記楽曲配信先情報に基づく配信先に配信するステップとを有する。
【００１５】
サービス享受者は、サービス購入者が選択した楽曲データの中から希望する楽曲の配信を受けることができる。これにより、サービス享受の権利をカードの贈与で行なうという新たな形態のサービスが提供される。
【発明の効果】
【００１６】
本発明によれば、楽曲配信サービスにおいて、楽曲ダウンロードの権利を贈与できるようにしたことにより、自由度の高い新たな形態のサービスを提供することができる。さらに、楽曲ダウンロードの権利の贈与に基づき、ダウンロードされる楽曲以外の情報を配信することを可能にしたことにより、より自由度の高い新たな形態のサービスを提供することができる。
【発明を実施するための最良の形態】
【００１７】
本発明に係る楽曲配信システム（以下、楽曲配信サービスシステムとも記す）、楽曲配信サービス方法の実施の形態について図面を参照して詳細に説明する。図１は、楽曲配信サービスシステムを含む全体構成を示す概要図である。本図に示すように楽曲配信サービスシステムは、サービス提供事業者が管理運営を行なうサービス提供サーバ１０を中心に構成される。サービス提供サーバ１０は、Ｗｅｂページを介した楽曲配信サービスを行なうためのＷｅｂフロント部１２０を備えており、通信ネットワーク７０に接続される。ここでは通信ネットワーク７０はインターネットであるとする。
【００１８】
サービス提供事業者は、仲介事業者を介して楽曲配信サービスの販売を行なっている。ここで、本実施形態における楽曲配信サービスは、サービスの購入者（本実施形態では「贈主」と称する）が、楽曲配信を受ける権利を他人に贈与することができるサービスである。他人（本実施形態では「贈先」と称する）への贈与は、楽曲配信を受けるための情報が記載されたカード３０を贈主から直接、あるいは、仲介事業者を介して贈先に配布することで行なわれる。つまり、楽曲配信サービスの販売は、楽曲配信を受けるための情報が記載されたカード３０を贈主に販売する形態をとる。
【００１９】
なお、仲介事業者とサービス提供事業者とは同一の事業者が行なうようにしてもよい。この場合、贈主Ａは、サービス提供事業者から直接、楽曲配信サービスを購入することになる。
【００２０】
カード３０を贈られた贈先は、カード３０に記載された情報にしたがってサービス提供サーバ１０にアクセスし、贈主が購入したサービスの内容で定められる回数分、楽曲配信を受けることができる。なお、楽曲は、本実施形態では、携帯電話の着信時に奏でられる着信楽曲とするが、本発明はこれに限られず種々の形態の楽曲に適用することができる。
【００２１】
本実施形態では、贈主Ａが仲介事業者を介して楽曲配信サービスを購入し、贈先Ｂおよび贈先Ｃにカード３０を配布する場合を例に説明する。図１に示すように、贈主Ａは、通信事業者Ａ６０ａが通信サービスを提供している携帯電話２０ａを用いて、インターネット７０を利用可能になっている。また、贈先Ｂは、通信事業者Ｂ６０ｂが通信サービスを提供している携帯電話２０ｂを用いて、インターネット７０を利用可能になっており、贈先Ｃは、通信事業者Ｃ６０ｃが通信サービスを提供している携帯電話２０ｃを用いて、インターネット７０を利用可能になっている。また、仲介事業者が利用する仲介事業者端末５０もインターネット７０に接続されている。ただし、仲介事業者端末５０とサービス提供サーバ１０とは、専用線を用いて接続するようにしてもよい。
【００２２】
上述のようにサービス提供サーバ１０は、Ｗｅｂページを介した楽曲配信サービスを行なうためのＷｅｂフロント部１２０を備えている。Ｗｅｂフロント部１２０は、贈主に対するＷｅｂページを提供するための贈主用ページ群１２１と、贈先に対するＷｅｂページを提供するための贈先用ページ群１２２とを格納している。
【００２３】
また、サービス提供サーバ１０は、楽曲配信サービスを制御するためのソフトウェアで実現されるアプリケーション部１１０を備えている。アプリケーション部１１０は、サービス提供サーバ１０が備える楽曲データベース１３０、カード情報管理データベース１４０、贈主情報管理データベース１５０、ダウンロード管理データベース１６０を管理制御する。
【００２４】
楽曲データベース１３０は、楽曲配信サービスで配信対象として用いることができる楽曲の情報を格納したデータベースである。贈主は、楽曲データベース１３０に登録されている楽曲の中から、贈先に配信される楽曲を選択することができる。購入したサービスの契約内容によっては複数曲選択することができる。複数曲を選択する場合は、贈先はその中から任意の曲を選んで配信を受けることができる。
【００２５】
楽曲データベース１３０は、サービス提供事業者あるいはサービス提供事業者に楽曲を提供する者がサービス開始の際にあらかじめ登録しておくものとする。登録される楽曲は、適宜追加補充、削除等することができる。
【００２６】
図２は、楽曲データベース１３０のデータ構造とデータ例を示す図である。本図に示すように、楽曲データベース１３０は、１つの楽曲について、楽曲ＩＤ１３０ａ、タイトル１３０ｂ、アーティスト１３０ｃ、楽曲データ１３０ｄを格納する。楽曲データ１３０ｄは、配信に用いることができる形式にエンコードされている。なお、楽曲データベース１３０に、検索用のキーワードや説明文、画像情報等も格納するようにしてもよい。
【００２７】
カード情報管理データベース１４０は、サービス提供事業者が贈主に提供するカード３０に関する情報を格納したデータベースである。サービス提供事業者は、贈主とのサービス契約内容にしたがって提供するカード３０の枚数を決定し、あらかじめ作成していたカード３０を贈主に割り当てる。カード３０には、固有のカードＩＤが付されており、それぞれのカードＩＤには固有のパスワードが設定されている。管理の容易のためには、カードＩＤは、連続番号とすることが望ましい。この場合、贈主にも連続番号のカード３０を割り当てるようにする。
【００２８】
図３は、カード情報管理データベース１４０のデータ構造とデータ例を示す図である。本図に示すようにカード情報管理データベース１４０は、１枚のカード３０について、カードＩＤ１４０ａ、パスワード１４０ｂを格納する。サービス提供事業者は、例えば、カード作成事業者からカード３０が納品された際に各カードについての情報をカード情報管理データベース１４０に登録する。
【００２９】
ここで、カード３０について説明する。図４は、カード３０に記載される情報の一例を示す図である。本図に示すようにカード３０には、カードＩＤ３１と、パスワード３２と、カード３０を贈られた贈先がサービス提供サーバ１０にアクセスするためのＵＲＬ（Uniform Resource Locator）３３とが記載されている。また、ＵＲＬを二次元バーコードで表示したコード部３４も記載されている。これらのうち、ＵＲＬ３３およびコード部３４は、各カードとも共通の情報が記載されているが、カードＩＤ３１およびパスワード３２は、各カード個別の情報が記載されている。また、カード３０は汎用的に用いられるため、配信する楽曲に関する情報は記載されていない。
【００３０】
図５は、贈主情報管理データベース１５０のデータ構造を示す図である。本図に示すように贈主情報管理データベース１５０は、贈主毎に、贈主ＩＤ１５０ａ、贈主氏名１５０ｂ、メールアドレス１５０ｃ、電話番号１５０ｄ、権利楽曲延数１５０ｅ、楽曲設定数１５０ｆ、カード範囲１５０ｇ、贈主用管理ページＵＲＬ１５０ｈ、贈主認証情報１５０ｉ、贈主設定楽曲１５０ｊ、贈主登録ムービーデータ１５０ｋを格納する。
【００３１】
権利楽曲延数１５０ｅは、配信できる総楽曲数であり、配布するカード３０の枚数と、１枚あたりの配信可能楽曲数との積に等しい。権利楽曲延数１５０ｅは、贈主が購入したサービスの契約内容によって定められる。例えば、１枚あたり３曲ダウンロードすることができる契約でカード３０を５０枚購入した場合は、権利楽曲延数は３×５０＝１５０曲となる。
【００３２】
楽曲設定数１５０ｆは、配信対象として贈主が設定できる楽曲の数である。すなわち、楽曲データベース１３０に登録されている楽曲の中から、贈主は楽曲設定数１５０ｆで定められる数の楽曲を選択して贈先に配信可能な楽曲として設定する。楽曲設定数１５０ｆは、贈主が購入したサービスの契約内容によって定められる。例えば、楽曲設定数として３０曲を設定した場合には、贈主は、３０曲をダウンロード可能な楽曲として設定することができる。カード１枚あたり３曲ダウンロードすることができるとすると、贈先は、贈主が選んだ３０曲のうち、任意の３曲をダウンロードすることができる。
【００３３】
カード範囲１５０ｇは、カード情報管理データベース１４０に登録されているカード３０のうち、贈主に割り当てられたカード３０の範囲を示す情報である。カード３０の範囲は、例えば、「ＣＩＤ００００５〜ＣＩＤ０００３４」というように、カードＩＤ１４０ａの範囲で記録される。カード範囲１５０ｇは、贈主が購入したサービスの内容で定められるカード３０の配布枚数に対応する。カード範囲１５０ｇを参照することにより、あるカードＩＤが付されたカード３０の贈主を特定することができる。
【００３４】
贈主用管理ページＵＲＬ１６０ｈは、贈主が配信する楽曲を設定したりする際に用いる管理用ページのＵＲＬである。贈主認証情報１５０ｉは、管理用ページにアクセスした際に贈主を特定して認証するため情報である。
【００３５】
贈主設定楽曲１５０ｊは、贈先への配信対象となる楽曲のリストである。贈主設定楽曲１５０ｊは、管理用ページにアクセスした贈主が楽曲設定数の範囲で贈主が設定することができる。一方、贈先は贈主設定楽曲１５０ｊに設定された楽曲の中から任意の楽曲の配信を受けることができる。
【００３６】
本実施形態において贈主は贈先に対して楽曲配信に加え、メッセージ情報としてムービーデータを配信することができる。ムービーデータには、贈主からのメッセージが記録され、贈先は随時そのムービーデータを再生することが可能である。贈主登録ムービーデータ１５０ｋは、贈主が配信用に登録したムービーデータを格納する。ムービーデータは、贈先が用いる携帯電話２０の通信事業者（キャリア）毎にデータ形式が異なるため、サービス提供サーバ１０は、贈主からムービーデータを取得すると各キャリア対応にデータ形式を変換してエンコードし、贈主登録ムービーデータ１５０ｋに格納する。
【００３７】
贈先における楽曲配信は、サービス提供サーバ１０から楽曲をダウンロードすることにより行なわれる。ダウンロード管理データベース１６０は、贈先における楽曲ダウンロード状況を記録するデータベースである。
【００３８】
図６は、ダウンロード管理データベース１６０のデータ構造を示す図である。本図に示すようにダウンロード管理データベース１６０は、カード毎に情報を管理し、カードＩＤ１６０ａ、有効期限１６０ｂ、ダウンロード可能回数１６０ｃ、ダウンロード履歴１６０ｄを格納する。
【００３９】
カードＩＤ１６０ａは、カード３０を特定する識別子であり、カード情報管理データベース１４０のカードＩＤ１４０ａとリンクするための情報である。サービス購入により、贈主にカード３０が割り当てられると、契約内容によりそのカード３０の有効期限が定められ、有効期限１６０ｂに記録される。また、契約内容によりカード３０あたりのダウンロード可能回数が定められ、ダウンロード可能回数１６０ｃに記録される。なお、ダウンロード可能回数１６０ｃは、贈主情報管理データベース１５０に記録される権利楽曲延数１５０ｅをカード範囲１５０ｇで定められるカード３０の枚数で割った値に等しくなる。
【００４０】
ダウンロード履歴１６０ｄは、ダウンロード処理毎に、日時１６１ａ、ＵＩＤ１６１ｂ、キャリア１６１ｃ、ダウンロード楽曲ＩＤ１６１ｄが記録される。ＵＩＤ１６１ｂは、ダウンロード処理の際に用いた携帯電話２０の固有識別情報であり、サービス提供サーバ１０にアクセスした際に、サービス提供サーバ１０により取得される情報である。キャリア１６１ｃは、ダウンロード処理の際に用いた携帯電話のキャリアを示す情報であり、携帯電話２０とサービス提供サーバ１０との通信確立の際などに、サービス提供サーバ１０により取得することができる情報である。
【００４１】
つぎに、本実施形態の処理について説明する。図７は、全体の流れの概要を示す図である。本図に示すように、本実施形態は事前処理ステップ（Ｓ１０）、贈主申込ステップ（Ｓ２０）、贈主登録ステップ（Ｓ３０）、カード配布ステップ（Ｓ４０）、贈先アクセスステップ（Ｓ５０）との５つのステップに分けることができる。
【００４２】
事前処理ステップ（Ｓ１０）は、サービスの販売に先立ち、サービス提供事業者が中心に行なう段階である。具体的には、楽曲登録処理（Ｓ１０１）と、カード作成処理（Ｓ１０２）と、カード納入処理（Ｓ１０３）が含まれる。
【００４３】
楽曲登録処理（Ｓ１０１）は、楽曲データベース１３０に楽曲情報を登録する処理である。登録処理においては、楽曲毎に楽曲ＩＤ１３０ａを付し、タイトル１３０ｂ、アーティスト１３０ｃを記録し、配信用にエンコードされた楽曲データ１３０ｄを格納する。カード作成処理（Ｓ１０２）は、図４に示したカード３０を、例えば、印刷事業者に委託して作成する。この際、所定の規則にしたがって、カードＩＤ３１、パスワード３２を各カード３０で個別のデータとする。カード３０が作成されると、カード情報管理データベース１４０に各カード３０のカードＩＤ１４０ａとパスワード１４０ｂを新規登録する。また、ダウンロード管理データベース１６０にカード枚数分のレコードを追加し、カードＩＤ１６０ａを記録する。カード納入処理（Ｓ１０３）は、作成されたカード３０を仲介事業者に納入する処理である。仲介事業者を用いない場合は、本処理は不要である。
【００４４】
贈主申込ステップ（Ｓ２０）は、贈主が楽曲配信サービスを仲介事業者を介して購入し、サービス内容を設定する段階である。具体的には、サービス内容設定処理（Ｓ２０１）、贈主情報通知処理（Ｓ２０２）、贈主情報登録処理（Ｓ２０３）、贈主アクセス情報通知処理（Ｓ２０４）が含まれる。
【００４５】
サービス内容設定処理（Ｓ２０１）では、贈主と仲介事業者との間で、贈主の連絡先情報、購入カード枚数、権利楽曲延数、楽曲設定数、カードの有効期限等が定められる。これらの内容に応じて、サービスの対価が定められる。また、未販売のカード３０の中から、購入カード枚数にしたがった範囲のカード３０を贈主に割り当てる。
【００４６】
贈主情報通知処理（Ｓ２０２）は、サービス内容設定処理（Ｓ２０１）で定められた情報を仲介事業者からサービス提供事業者に通知する処理である。通知は電子的、あるいは、書面等で行なうことができる。贈主情報登録処理（Ｓ２０３）は、仲介事業者からサービス提供事業者に通知された情報に基づいてサービス提供サーバ１０のデータベースに情報を登録する処理である。具体的には、贈主にＩＤを付して贈主情報管理データベース１５０の贈主ＩＤ１５０ａに登録し、贈主氏名１５０ｂ、メールアドレス１５０ｃ、電話番号１５０ｄを記録する。また、設定されたサービス内容にしたがって、権利楽曲延数１５０ｅ、楽曲設定数１５０ｆ、カード範囲１５０ｇを記録する。さらに、サービス提供事業者は、贈主管理用のＷｅｂページと、そのページにアクセスするための認証情報を用意し、そのＵＲＬを贈主管理ページＵＲＬ１５０ｈと贈主認証情報１５０ｉに記録する。また、ダウンロード管理データベース１６０の贈主に割り当てたカード３０に対応するレコードに、サービス内容にしたがって有効期限１６０ｂ、ダウンロード可能回数１６０ｃを記録する。
【００４７】
贈主アクセス情報通知処理（Ｓ２０４）は、管理用Ｗｅｂページにアクセスするための情報等を贈主に通知する処理である。通知する情報は、管理用ＷｅｂページのＵＲＬ、認証情報等とすることができる。また、ムービーデータを登録するための情報も贈主に通知する。ムービーデータを登録するための情報は、例えば、メールで贈主に通知することができる。
【００４８】
図９は、ムービーデータを登録するための情報を通知するためのメールの一例を示す図である。本図の例では、ムービーデータを登録するための手順と、その際にアクセスするサイトのＵＲＬがメールに記載されている。具体的には、ムービーデータはメールに添付してサービス提供サーバ１０に送信する形式を採用している。このため、贈主は容易にムービーデータの登録を行なうことができる。
【００４９】
贈主登録ステップ（Ｓ３０）は、贈主が配信する楽曲を設定したり、配信するムービーデータを登録する段階である。具体的には、贈主ログイン処理（Ｓ３０１）、配信楽曲設定処理（Ｓ３０２）、ムービー登録処理（Ｓ３０３）を含んでいる。
【００５０】
贈主ログイン処理（Ｓ３０１）では、贈主は、通知された管理用ＷｅｂページＵＲＬと認証情報を用いて、管理用Ｗｅｂページにアクセスする。そして、配信楽曲設定処理（Ｓ３０２）を行なう。配信楽曲設定処理（Ｓ３０２）では、楽曲データベース１３０に登録されている楽曲の中から任意の曲を選択して、配信対象の楽曲として設定する。楽曲の数は、贈主情報管理データベース１５０の楽曲設定数１５０ｆの範囲内で設定することができる。サービス提供サーバ１０は贈主が配信対象とする楽曲を選択すると、贈主情報管理データベース１５０の贈主設定楽曲１５０ｊに登録する。
【００５１】
また、ムービー登録処理（Ｓ３０３）では、図９に示したメールに記載された手順に従って、贈主が録画したムービーデータをサービス提供サーバ１０に送信する。ムービーデータを受信したサービス提供サーバ１０は、受信したムービーデータをキャリア毎のデータ形式に変換して、贈主情報管理データベース１５０の贈主登録ムービーデータ１５０ｋに登録する。
【００５２】
カード配布ステップ（Ｓ４０）は、贈主に割り当てられたカード３０を贈り先に配布する段階である。カード３０は、仲介事業者が贈先に配布するようにしてもよいし、贈主が直接贈先に配布するようにしてもよい。カード３０の配布の形態としては、例えば、贈主から贈先に対するプレゼント、引出物、景品等があげられる。
【００５３】
贈先アクセスステップ（Ｓ５０）は、カード３０を贈られた贈先がサービス提供サーバ１０にアクセスして、サービス提供サーバ１０が提供するサービスを享受する段階である。具体的には、贈先ログイン処理（Ｓ５０１）、サービス享受処理（Ｓ５０２）を含んでいる。贈先ログイン処理（Ｓ５０１）は、配布されたカード３０に記載されたＵＲＬにアクセスして、カード３０に記載されたカードＩＤとパスワードとを入力することでログインを行なう処理である。サービス享受処理（Ｓ５０２）は、サービス提供サーバ１０からムービー配信あるいは楽曲配信のサービスを享受する処理である。
【００５４】
図８は、贈先アクセスステップ（Ｓ５０）におけるサービス提供サーバ１０の処理を説明するフロー図である。サービス提供サーバ１０は、携帯電話２０からのアクセスを受け付けると、カードＩＤとパスワードの入力を受け付ける（Ｓ６０１）。なお、サービス提供サーバ１０は、アクセス受付の際の通信確立過程において携帯電話２０のキャリア情報を携帯電話２０に要求することで取得しておく。
【００５５】
カードＩＤとパスワードを受け付けると、入力されたカードＩＤとパスワードとが正規のものであるかどうかを認証する（Ｓ６０２）。認証処理は、カード情報管理データベース１４０を参照して、カードＩＤ１４０ａとパスワード１４０ｂの組み合わせが登録されているかどうかを判定することで行なうことができる。
【００５６】
その結果、認証できない場合（Ｓ６０２：Ｎｏ）には、認証に失敗したとして、カードＩＤとパスワードの入力を再度受け付ける（Ｓ６０１）。一方、認証できた場合（Ｓ６０２：Ｙｅｓ）は、ダウンロード管理データベース１６０を参照して、認証されたカードＩＤに対応するカード３０の有効期限が切れていないかを判断する（Ｓ６０３）。なお、認証できた場合には、贈主情報管理データベース１５０のカード範囲１５０ｇを参照することで、そのカード３０がどの贈主から贈られたものであるかを判別することができる。
【００５７】
カード３０の有効期限が切れている場合（Ｓ６０３：Ｎｏ）には、有効期限切れとしてサービスを提供することなく本処理を終了する（Ｓ６１３）。一方、有効期限内の場合（Ｓ６０３：Ｙｅｓ）は、サービス内容を選択するメニュー画面を携帯電話２０の表示画面に表示する（Ｓ６０４）。
【００５８】
図１０は、携帯電話２０の表示画面に表示されるメニュー画面の一例を示す図である。本図に示すようにメニュー画面では「メッセージを見る」「着信楽曲をダウンロードする」のいずれかを選択できるようになっている（Ｓ６０５）。
【００５９】
贈先の操作によって「メッセージを見る」、すなわちムービー再生が選択された場合（Ｓ６０５：ムービー）には、アクセス処理の際に取得した携帯電話２０のキャリアを判別する（Ｓ６０６）。そして、判別されたキャリアに対応した形式のムービーデータを、贈主情報管理データベース１５０の贈主登録ムービーデータ１５０ｋから読み出して、携帯電話２０に配信する（Ｓ６０７）。処理（Ｓ６０２）で認証されたカードＩＤをキーに、贈主情報管理データベース１５０の対応するレコードを特定することができるため、アクセス中の贈先にカード３０を贈った贈主が登録したムービーデータを配信することができる。携帯電話２０が配信されたムービーデータを再生することで、贈先は贈主のメッセージムービーを視聴することができる。
【００６０】
贈先の操作によって「着信楽曲をダウンロードする」が選択された場合（Ｓ６０５：楽曲）には、ダウンロード管理データベース１６０のダウンロード可能回数１６０ｃと、ダウンロード履歴１６０ｄとを参照して、ダウンロードが可能かどうかを判断する（Ｓ６０８）。具体的にはダウンロード履歴の回数がダウンロード可能回数より少なければダウンロードが可能であると判断する。
【００６１】
この結果、ダウンロード履歴の回数がダウンロード可能回数に達し、ダウンロード不可能と判断した場合（Ｓ６０８：Ｎｏ）は、ダウンロード不可能として、本処理を終了する（Ｓ６１３：Ｎｏ）。一方、ダウンロード可能と判断した場合（Ｓ６０８：Ｙｅｓ）は、着信楽曲選択画面を携帯電話２０の表示画面に表示する（Ｓ６０９）。着信楽曲選択画面で表示される着信楽曲は、贈主情報管理データベース１５０の贈主設定楽曲１５０ｊに設定されている楽曲である。
【００６２】
図１１は、着信楽曲選択画面の一例を示す図である。着信楽曲選択画面は、贈主情報管理データベース１５０の贈主設定楽曲１５０ｊに設定されている楽曲を単純にリスト表示するだけでもよいが、情報量を増やして使い勝手をよくしてもよい。本図の例では、おすすめの楽曲を表示する領域と、楽曲を検索するための領域とが設けられている。おすすめの楽曲を表示する領域では、その楽曲に関する画像２１０と、説明文２２０とが楽曲毎に表示される。また、楽曲を検索するための領域では、例えば、ジャンルに区分して楽曲を検索できるようにしている。
【００６３】
なお、おすすめの楽曲は、あらかじめ贈主が設定したり、ダウンロード回数が多い楽曲をシステム側でピックアップするようにすることができる。また、ジャンル検索等を行えるように、楽曲データベース１３０に検索用のフィールドや表示用画像のフィールドを設けておくことが望ましい。
【００６４】
贈先は、着信楽曲選択画面で任意の楽曲を選択することができる。サービス提供サーバ１０は、ダウンロードする楽曲が選択されると（Ｓ６１０：Ｙｅｓ）、楽曲データベース１３０を参照して、その楽曲の楽曲データ１３０ｄを贈先の携帯電話２０に配信する（Ｓ６１１）。これにより、贈先は着信楽曲をダウンロードすることができる。
【００６５】
着信楽曲を配信すると、サービス提供サーバ１０は、ダウンロードした日時１６１ａと、携帯電話２０のＵＩＤ１６１ｂと、キャリア１６１ｃと、配信した楽曲のＩＤ１６１ｄとをダウンロード履歴１６０ｄに記録してダウンロード管理データベース１６０を更新する。贈先がダウンロードを希望しない場合（Ｓ６１０：Ｎｏ）は、再度メニュー表示画面を表示して（Ｓ６０４）、贈先の操作を待つ。
【００６６】
以上説明したとおり、本実施形態では、贈主は贈先にカード３０を配布することで、セキュリティ保護がされた楽曲配信サービス享受の権利を贈与することができる。これにより、贈先は配信可能な楽曲の中から任意の楽曲を選択してダウンロードすることができるため、情報管理の安全性が高く、且つ自由度の高い多様な楽曲配信サービスを実現できる。
【００６７】
また、本実施形態では、ダウンロード可能な回数が残っていれば、カード３０は再配布することが可能である。再配布を受けた者は、さらに任意の曲をダウンロードすることが可能であるため、カード３０利用の自由度がさらに高まることになる。
【００６８】
なお、本実施形態では、メッセージ情報としてムービーデータを用いる例について説明したが、このメッセージ情報は、これ以外にも例えばデジタルカメラで撮像して得られた静止画データ、音声を録音して得られた音声データ、テキストデータ等のデジタルデータを用いることが可能である。
【００６９】
また、本実施形態では、贈先の携帯電話２０から任意の楽曲が選択された場合に、この選択された楽曲データ１３０ｄを、サービス提供サーバ１０から贈先の携帯電話２０に配信する例を説明した。これの変形例として、贈先の携帯電話２０からの楽曲の選択を受け付ける際に、携帯電話２０以外の別の配信先情報をも受けるようにして楽曲配信先を設定するように構成してもよい。この場合、サービス提供サーバ１０は、受け付けた楽曲配信先との通信確立過程において、キャリア情報を取得するように処理する必要がある。この変形例によれば、楽曲データをアクセス元である贈先だけでなく、贈先の知人や友人等に贈与するといったサービスの拡張が可能となる。
【図面の簡単な説明】
【００７０】
【図１】楽曲配信サービスシステムを含む全体構成を示す概要図である。
【図２】楽曲データベースのデータ構造とデータ例を示す図である。
【図３】カード情報管理データベースのデータ構造とデータ例を示す図である。
【図４】カードに記載される情報の一例を示す図である。
【図５】贈主情報管理データベースのデータ構造を示す図である。
【図６】ダウンロード管理データベースのデータ構造を示す図である。
【図７】全体の流れの概要を示す図である。
【図８】贈先アクセスステップにおけるサービス提供サーバの処理を説明するフロー図である。
【図９】ムービーデータを登録するための情報を通知するためのメールの一例を示す図である。
【図１０】携帯電話の表示画面に表示されるメニュー画面の一例を示す図である。
【図１１】着信楽曲選択画面の一例を示す図である。
【符号の説明】
【００７１】
１０…サービス提供サーバ、２０…携帯電話、３０…カード、５０…仲介事業者端末、７０…通信ネットワーク、１１０…アプリケーション部、１２０…Ｗｅｂフロント部、１３０…楽曲データベース、１４０…カード情報管理データベース、１５０…贈主情報管理データベース、１６０…ダウンロード管理データベース
【図１】
2008292863.tif 000003
【図２】
2008292863.tif 000004
【図３】
2008292863.tif 000005
【図４】
2008292863.tif 000006
【図５】
2008292863.tif 000007
【図６】
2008292863.tif 000008
【図７】
2008292863.tif 000009
【図８】
2008292863.tif 000010
【図９】
2008292863.tif 000011
【図１０】
2008292863.tif 000012
【図１１】
2008292863.tif 000013